(57)【要約】      （修正有）【課題】指示装置及びその操作方法を提供する。【解決手段】指示装置は、表示素子１４及び機能モジュール１８を備え、表示素子１４は、時間目盛り１４０、時間目盛り１４０に設けられた少なくとも１つの情報指示標識５０、及び時間目盛り１４０に設けられた少なくとも１つのインジケータ３０を備え、機能モジュール１８は、タッチ検出ユニット及び１つのプロセッサを備え、タッチ検出ユニットは、透明導電膜１２を介して信号変化をセンシングし、プロセッサは、信号変化に応じて対応する指令を出力することにより、少なくとも１つのインジケータ３０が少なくとも１つの情報指示標識５０内で対応する情報を指示するように制御する。指示装置及びその操作方法は、時間及び他の情報を表示することができる。【選択図】図２
2018205307.tif 000002
【特許請求の範囲】
【請求項１】
上蓋、ハウジング、下蓋、透明導電膜、表示素子、及び機能モジュールを備える指示装置であって、
前記上蓋、前記ハウジング、及び前記下蓋は、収容空間を形成するように上から下へ順に配置されており、
前記透明導電膜は、前記上蓋の下面に形成され、前記上蓋と前記透明導電膜との組合せは、映像を表示する機能を有しておらず、
前記表示素子は、前記収容空間に設けられ、時間目盛り、前記時間目盛りに設けられた少なくとも１つの情報指示標識、及び前記時間目盛りに設けられた少なくとも１つのインジケータを備え、
前記機能モジュールは、前記収容空間に設けられ、タッチ検出ユニット及びプロセッサを備え、
前記タッチ検出ユニットは、前記透明導電膜を介して信号変化をセンシングし、前記信号変化は、前記上蓋又はその上方で実行した動作により発生したものであり、
前記プロセッサは、前記タッチ検出ユニットがセンシングした前記信号変化に応じて、対応する指令を出力することにより、前記少なくとも１つのインジケータが前記少なくとも１つの情報指示標識内で対応する情報を指示するように制御する指示装置。
【請求項２】
前記透明導電膜は、通信部及び感知部を備え、
前記通信部は、前記上蓋の前記下面の一部に形成されており、
前記感知部は、前記上蓋の前記下面の他の部分に形成されており、
前記感知部は、微細な間隙により前記通信部と区分される請求項１に記載の指示装置。
【請求項３】
前記透明導電膜の前記感知部は、複数の互いに電気的に切断された領域に分けられている請求項２に記載の指示装置。
【請求項４】
前記少なくとも１つの情報指示標識は、数字、文字、パターン、及びマークのうちの少なくとも１つを含む請求項１に記載の指示装置。
【請求項５】
上蓋、ハウジング、下蓋、透明導電膜、表示素子、及び機能モジュールを備える指示装置であって、
前記上蓋、前記ハウジング、及び前記下蓋は、収容空間を形成するように上から下へ順に配置されており、
前記透明導電膜は、前記上蓋の下面に形成され、前記上蓋と前記透明導電膜との組合せは、映像を表示する機能を有しておらず、
前記表示素子は、前記収容空間に設けられ、時間目盛り、前記時間目盛りに設けられた少なくとも１つの情報指示標識、及び前記時間目盛りに設けられた少なくとも１つのインジケータを備え、
前記機能モジュールは、前記収容空間に設けられ、少なくとも１つのセンサー及びプロセッサを備え、
前記少なくとも１つのセンサーは、前記指示装置に実行されるジェスチャーをセンシングし、
前記プロセッサは、前記少なくとも１つのセンサーがセンシングした前記ジェスチャーに応じて、対応する指令を出力することにより、前記少なくとも１つのインジケータが前記少なくとも１つの情報指示標識内で対応する情報を指示するように制御する指示装置。
【請求項６】
前記少なくとも１つの情報指示標識は、数字、文字、パターン、及びマークのうちの少なくとも１つを含む請求項５に記載の指示装置。
【請求項７】
上蓋、ハウジング、下蓋、透明導電膜、表示素子、及び機能モジュールを備える指示装置であって、
前記上蓋、前記ハウジング、及び前記下蓋は、収容空間を形成するように上から下へ順に配置されており、
前記透明導電膜は、前記上蓋の下面に形成され、前記上蓋と前記透明導電膜との組合せは、映像を表示する機能を有しておらず、
前記表示素子は、前記収容空間に設けられ、時間目盛り、前記時間目盛りに設けられた少なくとも１つの情報指示標識、及び前記時間目盛りに設けられた少なくとも１つのインジケータを備え、
前記機能モジュールは、前記収容空間に設けられ、無線通信ユニット、タッチ検出ユニット、少なくとも１つのセンサー、及びプロセッサを備え、
前記無線通信ユニットは、前記透明導電膜を介して移動端末と無線通信を行い、
前記タッチ検出ユニットは、前記透明導電膜を介して信号変化をセンシングし、前記信号変化は、前記上蓋又はその上方で実行した動作により発生したものであり、
前記少なくとも１つのセンサーは、前記指示装置に実行されるジェスチャーをセンシングし、
前記プロセッサは、前記信号変化又は前記ジェスチャーに応じて、対応する指令を出力することにより、前記少なくとも１つのインジケータが前記少なくとも１つの情報指示標識内で対応する情報を指示するように制御する指示装置。
【請求項８】
前記少なくとも１つの情報指示標識は、数字、文字、パターン、及びマークのうちの少なくとも１つを含む請求項７に記載の指示装置。
【請求項９】
上蓋、ハウジング、下蓋、透明導電膜、表示素子、及び機能モジュールを備える指示装置の操作方法であって、
前記上蓋、前記ハウジング、及び前記下蓋は、収容空間を形成するように上から下へ順に配置されており、前記透明導電膜は、前記上蓋の下面に形成され、前記表示素子は、前記収容空間に設けられ、時間目盛り、前記時間目盛りに設けられた少なくとも１つの情報指示標識、及び前記時間目盛りに設けられた少なくとも１つのインジケータを備え、前記機能モジュールは、タッチ検出ユニット及びプロセッサを備え、前記指示装置の操作方法は、
前記タッチ検出ユニットが前記透明導電膜を介して信号変化をセンシングし、前記信号変化が前記上蓋又はその上方で実行した動作により発生したものであること、及び
前記プロセッサが前記タッチ検出ユニットのセンシングした前記信号変化に応じて、対応する指令を出力することにより、前記少なくとも１つのインジケータが前記少なくとも１つの情報指示標識内で対応する情報を指示するように制御すること、を含む指示装置の操作方法。
【請求項１０】
前記少なくとも１つの情報指示標識は、数字、文字、パターン、及びマークのうちの少なくとも１つを含む請求項９に記載の指示装置の操作方法。
【請求項１１】
上蓋、ハウジング、下蓋、透明導電膜、表示素子、及び機能モジュールを備える指示装置の操作方法であって、
前記上蓋、前記ハウジング及び前記下蓋は、収容空間を形成するように上から下へ順に配置されており、前記透明導電膜は、前記上蓋の下面に形成され、前記表示素子は、前記収容空間に設けられ、時間目盛り、前記時間目盛りに設けられた少なくとも１つの情報指示標識、及び前記時間目盛りに設けられた少なくとも１つのインジケータを備え、前記機能モジュールは、少なくとも１つのセンサー及び１つのプロセッサを備え、前記指示装置の操作方法は、
前記少なくとも１つのセンサーが、前記指示装置に実行されるジェスチャーをセンシングすること、及び
前記プロセッサが前記少なくとも１つのセンサーのセンシングした前記ジェスチャーに応じて、対応する指令を出力することにより、前記少なくとも１つのインジケータが前記少なくとも１つの情報指示標識内で対応する情報を指示するように制御すること、を含む指示装置の操作方法。
【請求項１２】
前記少なくとも１つの情報指示標識は、数字、文字、パターン、及びマークのうちの少なくとも１つを含む請求項１１に記載の指示装置の操作方法。
【発明の詳細な説明】
【技術分野】
【０００１】
本発明は、情報指示方式に関し、特に、指示装置及びその操作方法に関する。
【背景技術】
【０００２】
現在、ウェアラブル装置を外部装置（例えば、携帯電話）と通信可能な入力装置となるように製造できるようになった。例えば、無線アンテナ及び機能モジュールを従来の腕時計（即ち、指針式時計）に設けることにより該腕時計をスマート腕時計とすることはますます一般的になっている。従来のスマート腕時計に用いられる無線アンテナは、通常、チップアンテナ（ｃｈｉｐ  ａｎｔｅｎｎａ）、スパイラルアンテナ（Ｈｅｌｉｘ  ｏｒ  Ｓｐｉｒａｌ  ａｎｔｅｎｎａ）、パッチアンテナ（ｐａｔｃｈ  ａｎｔｅｎｎａ）又は環型アンテナ（ｌｏｏｐ  ａｎｔｅｎｎａ）等を採用して信号を送受信している。チップアンテナ等は、電磁界アンテナであり、つまり、チップアンテナは、電磁界により信号を送受信するものである。
【０００３】
従来のスマート腕時計構造は、通常、時計表面、ダイアル、時計ケース、及び底ケースを備える。該ダイアル、該時計ケース、該底ケースは、収容空間を形成するように上から下へ順に配置される。アンテナは、腕時計内部の収容空間又は時計ケースに設けられている。しかし、従来のスマート腕時計の時計ケース、底ケース、ダイアル等の収容空間を形成するものは、一般的に金属製であり、金属は信号シールドの特性を有するため、従来のスマート腕時計の収容空間又は時計ケース内のアンテナによる信号送受信は、金属製の時計ケース、底ケース、ダイアル等の部材によって影響を受けることがある。
【０００４】
収容空間を形成するダイアル、時計ケース、底ケースのうちの少なくとも１つが非金属製、或いは、少なくとも１つの一部が非金属製であったとしても、アンテナを収容空間又は時計ケース内に置く場合に、該アンテナは、依然として収容空間を形成する部材、例えば、ダイアル、時計ケース、底ケース又は収容空間内のムーブメント、機能モジュール、電池によって影響を受けることにより、外部装置（例えば、携帯電話）との無線通信可能な距離が大幅に短縮することがある。
【０００５】
さらに、従来の腕時計では、タッチスクリーン及び電子ノブ（ボタン）を有しないため、腕時計内に通信モジュール、運算モジュール又はセンサーを実装したとしても、従来の腕時計は、実体の時間表示素子を介して時間を表示することしかできず、他の情報（例えば、センサーで感知した結果）を表示する機能を有しない。つまり、使用者が従来の腕時計から所望の情報を取得できない。例えば、歩数記録機能を提供するために従来の腕時計内に複数のセンサー又はプロセッサを実装する場合に、従来の腕時計は、歩数記録データを表示するための適切な方式を提供することができない。
【０００６】
従って、従来技術における上記問題に対して、解決方法を提出する必要がある。
【発明の概要】
【発明が解決しようとする課題】
【０００７】
本発明は、従来技術における問題を解決できる装置及びその操作方法を提供する。
【０００８】
本発明の指示装置は、上蓋、ハウジング、下蓋、透明導電膜、表示素子、及び機能モジュールを備える。上記上蓋、ハウジング、及び下蓋は、収容空間を形成するように上から下へ順に配置されている。上記透明導電膜は、上記上蓋の下面に形成され、上記上蓋と上記透明導電膜との組合せは、映像を表示する機能を有しない。上記表示素子は、上記収容空間に設けられ、時間目盛り、時間目盛りに設けられた少なくとも１つの情報指示標識、及び時間目盛りに設けられた少なくとも１つのインジケータを備える。上記機能モジュールは、収容空間に設けられ、タッチ検出ユニット及びプロセッサを備える。上記タッチ検出ユニットは、透明導電膜を介して信号変化をセンシングし、該信号変化は、上記上蓋又はその上方で実行した動作により発生したものである。上記プロセッサは、タッチ検出ユニットがセンシングした信号変化に応じて、対応する指令を出力することにより、少なくとも１つのインジケータが少なくとも１つの情報指示標識内で対応する情報を指示するように制御する。
【０００９】
本発明の指示装置は、上蓋、ハウジング、下蓋、透明導電膜、表示素子、及び機能モジュールを備える。上記上蓋、ハウジング、及び下蓋は、収容空間を形成するように上から下へ順に配置されている。上記透明導電膜は、上蓋の下面に形成され、上蓋と透明導電膜との組合せは、映像を表示する機能を有しない。上記表示素子は、収容空間に設けられ、時間目盛り、時間目盛りに設けられた少なくとも１つの情報指示標識、及び時間目盛りに設けられた少なくとも１つのインジケータを備える。上記機能モジュールは、収容空間に設けられ、少なくとも１つのセンサー及びプロセッサを備える。上記少なくとも１つのセンサーは、指示装置に実行されるジェスチャーをセンシングする。上記プロセッサは、少なくとも１つのセンサーがセンシングしたジェスチャーに応じて、対応する指令を出力することにより、少なくとも１つのインジケータが少なくとも１つの情報指示標識内で対応する情報を指示するように制御する。
【００１０】
本発明の指示装置は、上蓋、ハウジング、下蓋、透明導電膜、表示素子、及び機能モジュールを備える。上記上蓋、ハウジング、及び下蓋は、収容空間を形成するように上から下へ順に配置されている。上記透明導電膜は、上蓋の下面に形成され、上蓋と該透明導電膜との組合せは、映像を表示する機能を有しない。上記表示素子は、収容空間に設けられ、時間目盛り、時間目盛りに設けられた少なくとも１つの情報指示標識、及び時間目盛りに設けられた少なくとも１つのインジケータを備える。上記機能モジュールは、収容空間に設けられ、無線通信ユニット、タッチ検出ユニット、少なくとも１つのセンサー、及びプロセッサを備える。上記無線通信ユニットは、透明導電膜を介して移動端末と無線通信を行う。上記タッチ検出ユニットは、透明導電膜を介して信号変化をセンシングし、該信号変化は、上蓋又はその上方で実行した動作により発生したものである。上記少なくとも１つのセンサーは、指示装置に実行されるジェスチャーをセンシングする。上記プロセッサは、信号変化又はジェスチャーに応じて、対応する指令を出力することにより、少なくとも１つのインジケータが少なくとも１つの情報指示標識内で対応する情報を指示するように制御する。
【００１１】
本発明の指示装置の操作方法において、該指示装置は、上蓋、ハウジング、下蓋、透明導電膜、表示素子、及び機能モジュールを備える。上記上蓋、ハウジング及び下蓋は、収容空間を形成するように上から下へ順に配置されている。上記透明導電膜は、上蓋の下面に形成される。上記表示素子は、収容空間に設けられ、時間目盛り、時間目盛りに設けられた少なくとも１つの情報指示標識、及び時間目盛りに設けられた少なくとも１つのインジケータを備える。上記機能モジュールは、タッチ検出ユニット及びプロセッサを備える。上記指示装置の操作方法は、タッチ検出ユニットが透明導電膜を介して信号変化をセンシングし、該信号変化は、上蓋又はその上方で実行した動作により発生したものであること、及びプロセッサがタッチ検出ユニットのセンシングした信号変化に応じて、対応する指令を出力することにより、少なくとも１つのインジケータが少なくとも１つの情報指示標識内で対応する情報を指示するように制御すること、を含む。
【００１２】
本発明の指示装置の操作方法において、該指示装置は、上蓋、ハウジング、下蓋、透明導電膜、表示素子、及び機能モジュールを備える。上記上蓋、ハウジング及び下蓋は、収容空間を形成するように上から下へ順に配置されている。上記透明導電膜は、上蓋の下面に形成される。上記表示素子は、収容空間に設けられ、時間目盛り、時間目盛りに設けられた少なくとも１つの情報指示標識、及び時間目盛りに設けられた少なくとも１つのインジケータを備える。上記機能モジュールは、少なくとも１つのセンサー及び１つのプロセッサを備える。上記指示装置の操作方法は、少なくとも１つのセンサーが指示装置に実行されるジェスチャーをセンシングすること、及びプロセッサが少なくとも１つのセンサーのセンシングしたジェスチャーに応じて、対応する指令を出力することにより、少なくとも１つのインジケータが少なくとも１つの情報指示標識内で対応する情報を指示するように制御すること、を含む。
【００１３】
本発明の指示装置及びその操作方法では、少なくとも１つの情報指示標識が設けられることにより、指示装置は、時間及び他の情報を表示することができる。
【図面の簡単な説明】
【００１４】
【図１】図１は、本発明の一実施例に係る指示装置の上面図である。
【図２】図２は、図１の指示装置の分解図である。
【図３】図３は、図１の指示装置の断面図である。
【図４】図４は、本発明の一実施例に係る制御ユニットと移動端末とが無線通信を行う模式図である。
【図５】図５は、本発明の一実施例に係る情報指示標識の模式図である。
【図６】図６は、本発明の別の実施例に係る情報指示標識の模式図である。
【図７】図７は、本発明の一実施例に係る透明導電膜が上蓋に貼り付けられた状態の模式図である。
【図８】図８は、図７の範囲Ａの拡大図である。
【図９】図９は、本発明の一実施例に係る指示装置の操作方法のフローチャートである。
【図１０】図１０は、本発明の別の実施例に係る指示装置の操作方法のフローチャートである。
【発明を実施するための形態】
【００１５】
本発明は、短距離通信モジュールが設けられた指示装置である。該指示装置は、腕時計であってもよいが、これに限定されない。図１〜３を参照すると、図１は、本発明の一実施例に係る指示装置の上面図であり、図２は、図１の指示装置の分解図であり、図３は、図１の指示装置の断面図である。
【００１６】
該指示装置は、上蓋１０、透明導電膜１２、表示素子１４、ムーブメント１６、機能モジュール１８、ハウジング２０、クラウン２２、電池２４、及び下蓋２６を備える。
【００１７】
該上蓋１０、該ハウジング２０及び該下蓋２６は、収容空間２８を形成するように上から下へ順に配置されている。該上蓋１０、該ハウジング２０及び該下蓋２６は、該指示装置内部の機械及び／又は電子素子を保護する。
【００１８】
好ましくは、該上蓋１０は、透明な材質（例えば、ガラス）であり、該透明導電膜１２は、該上蓋１０の下面に貼り付けるように形成される。なお、該透明導電膜１２は短距離通信の機能を有する。好ましくは、該透明導電膜１２は高光透過性構造である。該透明導電膜１２が該上蓋１０の下面に形成された場合においても、該上蓋１０と該透明導電膜１２との組合せが５０％以上の透過率（ｔｒａｎｓｍｉｔｔａｎｃｅ）を有するため、使用者が該上蓋１０を介して時間を見る際に該透明導電膜１２の影響を受けることはない。
【００１９】
本実施例において、該表示素子１４は、収容空間２８内であって、機能モジュール１８の上方に位置し、且つ実体の時間目盛り１４０（例えば、１時〜１２時）、時間目盛り１４０の上方に設けられた少なくとも１つの情報指示標識５０、及び時間目盛り１４０の上方に設けられた少なくとも１つのインジケータ３０（例えば、実体的時針、分針及び秒針）を備える。インジケータ３０は、ムーブメント１６によって駆動され、ひいては表示素子１４における時間目盛り１４０と合わせて時間を表示する。また、本発明は、インジケータ３０が少なくとも１つの情報指示標識５０を介して時間以外の情報を表示できることを特徴とする。時間以外の情報は、運動完成目標率（％）、高さ、方向、速度等を含むが、これらに限定されない。少なくとも１つの情報指示標識５０は、数字、文字、パターン、及びマークのうちの少なくとも１つを含むが、これらに限定されない。
【００２０】
なお、本実施例において、該指示装置は指針式時計であり、表示素子１４はダイアルであり、該少なくとも１つのインジケータ３０及びムーブメント１６は個別なモーターによって駆動される。少なくとも１つのインジケータ３０が時針、分針及び秒針を備える場合に、時針、分針及び秒針は、それぞれ個別なモーターに対応する。
【００２１】
クラウン２２は、指示装置の側面に設けられる。使用者は、クラウン２２におけるノブを回転することにより時間を調整したり、目覚まし時間を設定したりすることができる。
【００２２】
電池２４は、ムーブメント１６及び／又は機能モジュール１８に必要な電力を提供することができる。該電池２４は、使い捨て電池又は充電式電池であってもよい。
【００２３】
機能モジュール１８は、収容空間２８内に設けられる。図２に示すように、機能モジュール１８は、電気的接続基板１８０、及び電気的接続基板１８０上に設けられた制御ユニット１８２を備える。図４は、本発明の一実施例に係る制御ユニット１８２と移動端末４０とが無線通信を行うのを示す模式図である。本発明の制御ユニット１８２は、プロセッサ１８２０、少なくとも１つのセンサー１８２２、無線通信ユニット１８２４、及びタッチ検出ユニット１８２６を備える。
【００２４】
無線通信ユニット１８２４は、プロセッサ１８２０に電気的に接続され、透明導電膜１２を介して移動端末４０と無線通信を行う。移動端末４０は、無線信号を送受信するための無線信号送受信機４２を備える。無線信号送受信機４２は、例えばブルートゥース（Ｂｌｕｅｔｏｏｔｈ）（登録商標）送受信機又はＮＦＣ（Ｎｅａｒ  Ｆｉｅｌｄ  Ｃｏｍｍｕｎｉｃａｔｉｏｎ；近接場通信）送受信機であってもよい。なお、指示装置が腕時計構造である場合に、機能モジュール１８は腕時計構造のバンドに設けられてもよい。
【００２５】
少なくとも１つのセンサー１８２２は、プロセッサ１８２０に電気的に接続され、指示装置に実行されるジェスチャーをセンシングする。該ジェスチャーは、例えばタップ、スライド、振動等を含むが、これらに限定されない。
【００２６】
機能モジュール１８は、記憶ユニット１８２８をさらに備えてもよい。記憶ユニット１８２８は、プロセッサ１８２０に必要な関連情報を記憶する。記憶ユニット１８２８は、プロセッサ１８２０に設けられてもよい。
【００２７】
タッチ検出ユニット１８２６は、透明導電膜１２及びプロセッサ１８２０に電気的に接続される。使用者が図２の上蓋１０又はその上方で動作を実行（例えば、上蓋１０に対するクリック又は上蓋１０上でのスライド）した場合に、タッチ検出ユニット１８２６は、透明導電膜１２を介して信号変化（例えば、電流変化）をセンシングし、該信号変化は、上蓋１０又は該上蓋の上方で実行した動作により発生したものであり、プロセッサ１８２０は、信号変化を受信し、該信号変化に応じて対応する指令を出力することにより、少なくとも１つのインジケータ３０が少なくとも１つの情報指示標識５０内で対応する情報を指示するように制御する。
【００２８】
或いは、少なくとも１つのセンサー１８２２は、指示装置に実行されるジェスチャー（例えば、上蓋１０に対するクリック、又は上蓋１０上でのスライド）をセンシングし、プロセッサ１８２０は、該ジェスチャーに応じて対応する指令を出力することにより、少なくとも１つのインジケータ３０が少なくとも１つの情報指示標識５０内で対応する情報を指示するように制御する。
【００２９】
図５は、本発明の一実施例に係る情報指示標識５２、５４の模式図である。
【００３０】
本実施例において、該指示装置は、使用者が上蓋１０に対する動作又はジェスチャーにより入力した指令に応答することができる。例えば、上蓋１０上で「＝」を描く動作を日付の質問とする場合に、使用者が上蓋１０上で「＝」を描くことにより、時針７０及び分針７２は、時間を指示する位置から日付を指示する位置に移動する。この実施例において、時針７０が「１０」時を表す位置を指示し、分針７２が情報指示標識５２内の５番目の目盛りに対応する「１０」分の位置を指示するため、１０月５日であることを示す。日付の表示が完了後、時針７０及び分針７２は、特定の時間（例えば、２秒）後に時間を指示する位置に復帰することができる。また、より明確に表示するために、情報指示標識５２内の３１個の目盛りに数字をさらに付けてもよい。
【００３１】
さらに、情報指示標識５４は、毎日の歩数記録完成度（０％〜１００％）を表示することができる。
【００３２】
図６は、本発明の別の実施例に係る情報指示標識５６、５８、６０、６２の模式図である。
【００３３】
本実施例において、情報指示標識５６は、運動完成目標率（％）を指示し、情報指示標識５８は、高さを指示し、情報指示標識６０は、方向を指示し、情報指示標識６２は、速度を指示するために用いられる。これらの情報指示標識のいずれもについて、プロセッサ１８２０がタッチ検出ユニット１８２６のセンシングした信号変化、又は少なくとも１つのセンサー１８２２のセンシングしたジェスチャーに応じて、対応する指令を出力することにより、少なくとも１つのインジケータ３０が情報指示標識５６、５８、６０、６２内で対応する情報を指示するように制御することができる。
【００３４】
上記のように、透明導電膜１２は、信号変化をセンシングする。図７及び図８を参照すると、図７は、本発明の一実施例に係る透明導電膜１２が上蓋１０に貼り付けられた状態の模式図であり、図８は、図７の範囲Ａの拡大図である。
【００３５】
図７に示すように、透明導電膜１２は、格子状の導電膜であるが、実際には、極めて細い金属線で形成された格子状であるため、格子状の透明導電膜ではなく、ほぼ透明な導電膜として見られる。
【００３６】
透明導電膜１２は、通信部１２０及び感知部１２２を備える。通信部１２０は、上蓋１０の下面の一部に貼り付けるように形成され、感知部１２２は、上蓋１０の下面の他の部分に貼り付けるように形成される。通信部１２０と感知部１２２とは、電気的に切断される。通信部１２０は、無線通信ユニット１８２４と移動端末４０との間に電気的に接続され、無線通信ユニット１８２４と移動端末４０との間の信号を送受信する。感知部１２２は、タッチ検出ユニット１８２６に電気的に接続され、信号変化（例えば、電流変化）を信号伝送部３２を介して図４のタッチ検出ユニット１８２６に伝送する。
【００３７】
通信部１２０及び感知部１２２は、まず、上蓋１０の下面に導電膜を形成した後、レーザーパターン化（ｌａｓｅｒ  ｐａｔｔｅｒｎｉｎｇ）により該完全な導電膜を通信部１２０と感知部１２２に分割することにより作製することができる。感知部１２２は、微細な間隙により通信部１２０と区分され、感知部１２２と通信部１２０とは、互いに影響を与えない。
【００３８】
さらに、図７に示す実施例において、感知部１２２は、第１領域１２２０及び第２領域１２２２に分けられ、第１領域１２２０と第２領域１２２２とが電気的に切断される。使用者が第１領域１２２０から第２領域１２２２にスライドしたときに、第１領域１２２０の感知部１２２が信号変化をタッチ検出ユニット１８２６に伝送し、第２領域１２２２の該感知部１２２が信号変化をタッチ検出ユニット１８２６に伝送し、プロセッサ１８２０がこの２つの信号変化を解読し、この２つの信号変化に基づいて対応する操作指令を出力することができる。例えば、使用者が上蓋１０を２秒以上押すと、プロセッサ１８２０が対応する操作指令を無線通信ユニット１８２４に出力し、無線通信ユニット１８２４が通信部１２０を介して移動端末４０が電話をかけるように制御する。
【００３９】
別の実施例において、感知部１２２は、２つの領域に分けられずに、１つの領域であってもよい。さらなる実施例において、該感知部１２２は、複数の互いに電気的に切断された領域に分けられてもよく、これらの領域の面積が同一でも異なってもよい。
【００４０】
なお、図２において、上蓋１０と透明導電膜１２との組合せは、映像を表示する機能を有しない。より明確には、本発明の指示装置の操作原理は、液晶表示装置又はタッチパネルと異なっている。
【００４１】
図９は、本発明の一実施例に係る指示装置の操作方法を示すフローチャートである。
【００４２】
該指示装置は、上蓋、ハウジング、下蓋、透明導電膜、表示素子、及び機能モジュールを備える。上記上蓋、ハウジング及び下蓋は、収容空間を形成するように上から下へ順に配置されている。上記透明導電膜は、上蓋の下面に形成される。表示素子は、収容空間に設けられ、時間目盛り、時間目盛りに設けられた少なくとも１つの情報指示標識、及び時間目盛りに設けられた少なくとも１つのインジケータを備える。上記機能モジュールは、タッチ検出ユニット及びプロセッサを備える。該指示装置の操作方法は、以下の操作を含む。
【００４３】
操作Ｓ１０において、タッチ検出ユニットは、透明導電膜を介して信号変化をセンシングし、該信号変化は、上蓋又はその上方で実行した動作により発生したものである。
【００４４】
操作Ｓ１２において、プロセッサは、タッチ検出ユニットのセンシングした信号変化に応じて、対応する指令を出力することにより、少なくとも１つのインジケータが少なくとも１つの情報指示標識内で対応する情報を指示するように制御する。
【００４５】
少なくとも１つの情報指示標識は、数字、文字、パターン、及びマークのうちの少なくとも１つを含む。
【００４６】
図１０は、本発明の別の実施例に係る指示装置の操作方法を示すフローチャートである。
【００４７】
該指示装置は、上蓋、ハウジング、下蓋、透明導電膜、表示素子、及び機能モジュールを備える。上記上蓋、ハウジング及び下蓋は、収容空間を形成するように上から下へ順に配置されている。上記透明導電膜は、上蓋の下面に形成される。表示素子は、収容空間内に設けられ、時間目盛り、時間目盛りに設けられた少なくとも１つの情報指示標識、及び時間目盛りに設けられた少なくとも１つのインジケータを備える。上記機能モジュールは、少なくとも１つのセンサー及びプロセッサを備える。該指示装置の操作方法は、以下の操作を含む。
【００４８】
操作Ｓ２０において、少なくとも１つのセンサーは、指示装置に実行されるジェスチャーをセンシングする。
【００４９】
操作Ｓ２２において、プロセッサは、少なくとも１つのセンサーのセンシングしたジェスチャーに応じて、対応する指令を出力することにより、少なくとも１つのインジケータが少なくとも１つの情報指示標識内で対応する情報を指示するように制御する。
【００５０】
少なくとも１つの情報指示標識は、数字、文字、パターン、及びマークのうちの少なくとも１つを含む。
【００５１】
本発明の指示装置及びその操作方法では、少なくとも１つの情報指示標識が設けられることにより、指示装置は、時間及び他の情報を表示することができる。
【００５２】
以上のように、本発明を好ましい実施例により開示したが、これは本発明を限定するものではなく、本発明の属する技術分野における通常の知識を有する者であれば、本発明の要旨を逸脱しない精神及び範囲内において、種々の変更と装飾が可能であることは勿論であるため、本発明の保護範囲は添付する特許請求の範囲を基準とする。
【符号の説明】
【００５３】
１０  上蓋
１２  透明導電膜
１４  表示素子
１６  ムーブメント
１８  機能モジュール
２０  ハウジング
２２  クラウン
２４  電池
２６  下蓋
２８  収容空間
３０  インジケータ
３２  信号伝送部
４０  移動端末
４２  無線信号送受信機
５０、５２、５４、５６、５８、６０、６２  情報指示標識
７０  時針
７２  分針
１２０  通信部
１２２  感知部
１４０  時間目盛り
１８０  電気的接続基板
１８２  制御ユニット
１２２０  第１領域
１２２２  第２領域
１８２０  プロセッサ
１８２２  センサー
１８２４  無線通信ユニット
１８２６  タッチ検出ユニット
１８２８  記憶ユニット
Ａ  範囲
Ｓ１０−Ｓ１２、Ｓ２０−Ｓ２２  操作
【図１】
2018205307.tif 000003
【図２】
2018205307.tif 000004
【図３】
2018205307.tif 000005
【図４】
2018205307.tif 000006
【図５】
2018205307.tif 000007
【図６】
2018205307.tif 000008
【図７】
2018205307.tif 000009
【図８】
2018205307.tif 000010
【図９】
2018205307.tif 000011
【図１０】
2018205307.tif 000012